(57)【要約】【課題】  偏心ディスクが挿入されてもリード／ライト動作時（回転動作時）にディスクの面振れを防ぐことができて、安定させることができるディスク装置を提供する。【解決手段】  クランパ３を有する上蓋１側にディスクＤを保持し、この上蓋１を回転させてディスクＤを回転させるようにし、上蓋１は駆動モータ２で回転され、上蓋１の下面側にディスクＤの中心部分に接するクランパ３を設け、上蓋１にディスクトレイ５上のディスクＤをチャッキングするチャッキング機構４を設け、ディスクトレイ５が上下動機構６で上向きに移動してクランパ３に接したときにディスクトレイ５上のディスクＤをチャッキング機構４でチャッキングし、その後にデスクトレイ５が上下動機構６で下向きに移動した後に、駆動モータ２が回転駆動して上蓋１が回転し、これとともにチャッキング機構４でチャッキングされたディスクＤが回転するように構成した。【選択図】  図３
2005346804.tif 000002
【特許請求の範囲】
【請求項１】
クランパを有する上蓋側にディスクを保持し、この上蓋を回転させて前記ディスクを回転させるようにしたディスク装置であって、前記上蓋は駆動モータによって回転され、前記上蓋の下面側には前記ディスクの中心部分に接するクランパが設けられるとともに、前記上蓋の下面側に前記ディスクをチャッキングするチャッキング機構が設けられており、前記チャッキング機構は、前記クランパの外側に設けられ下向きにスプリングによって付勢され、ディスクトレイが上下動機構によって上向きに移動したときに前記ディスクの上面に当接する下向きの当接部材と、この当接部材が枢着され前記上蓋の下面に沿って配設されて長手方向中央部が前記上蓋に回動可能に枢着された横向き部材と、この横向き部材の外側端に下向きに取り付けられ下端に前記ディスクを掴む掴み部を有するチャッキング部材とから構成され、前記ディスクが上面にセットされた前記ディスクトレイが上下動機構によって上向きに移動された際に、前記チャッキング機構の当接部材が前記ディスクに当接され、更なる前記ディスクトレイの上向きの移動によって、前記当接部材が前記スプリングの付勢力に抗して上向きに移動され、前記横向き部材が回動されて前記チャッキング部材が下向き且つ内向きに移動されて前記ディスクがこのチャッキング部材でチャッキングされ、前記ディスクトレイが前記上下動機構で下向きに移動された後に、前記駆動モータの回転駆動で前記上蓋が回転されて前記ディスクが回転されるように構成したことを特徴とするディスク装置。
【請求項２】
クランパを有する上蓋側にディスクを保持し、この上蓋を回転させて前記ディスクを回転させるようにしたディスク装置であって、前記上蓋は駆動モータによって回転され、前記上蓋の下面側に前記ディスクの中心部分に接するクランパが設けられ、前記上蓋にはディスクトレイ上のディスクをチャッキングするチャッキング機構が設けられており、前記ディスクトレイが上下動機構で上向きに移動されて前記クランパに接したときに、前記ディスクトレイ上のディスクが前記チャッキング機構でチャッキングされるように構成され、前記ディスクが前記チャッキング機構でチャッキングされた後に前記デスクトレイが前記上下動機構で下向きに移動された後に、前記駆動モータが回転駆動されて前記上蓋が回転され、これとともに前記チャッキング機構でチャッキングされた前記ディスクが回転されるように構成したことを特徴とするディスク装置。
【請求項３】
前記ディスクトレイを上下動させる前記上下動機構は、前記デスクトレイに設けられた水平向きの板材に形成され、上側の水平溝とこの水平溝に連なる斜め下向き傾斜溝とこの下向き傾斜溝の下端から水平向きに連なる下側の水平溝とからなるガイド溝と、一端がこのガイド溝内を移動され、他端がシャーシに取り付けられた傾斜板とからなり、前記ディスクトレイが前記シャーシの奥側に移動されたときに、前記傾斜板の一端が前記ガイド溝の上側の水平溝から前記傾斜溝を経て前記下側の水平溝に移動されて前記ディスクトレイが上向きに移動されて前記ディスクが上側に移動されるように構成されている請求項２に記載のディスク装置。
【発明の詳細な説明】
【技術分野】
【０００１】
本発明は、クランパを有する上蓋側にディスクを保持し、この上蓋を回転させて前記ディスクを回転させるようにしたディスク装置に関するものである。
【背景技術】
【０００２】
従来のディスク装置は、ターンテーブルとクランパでディスクを保持して回転させるようにしていた。ところが、ターンテーブルとクランパでは、ディスクの中心部分を保持していただけで、ディスクに面振れが生じることがあるという問題があった。また、ディスクが偏心している場合にもこのディスクに面振れが生じるという問題があった。
【０００３】
第１の従来技術を図６に示す。この従来技術のターンテーブルは、情報記録媒体１０３を載置して回転駆動するターンテーブル１０２の外周部に設けた軸（図示略）１０４に、ターンテーブル下に重錘１０７を備え、かつターンテーブル上に情報記録媒体１０３の外周部を押圧する爪部１０６ａを備えたクランプ爪１０６を回動自在に取付けてなり、ターンテーブル１０２の回転に伴なった重錘１０７に作用する遠心力により爪部１０６ａがクランプ方向に回動して情報記録媒体１０３の外周部を押圧するよう構成した。（例えば、特許文献１参照）。
【０００４】
ところが、これは情報記録媒体１０３を下側のターンテーブル１０２で回転するものであって、上側から回転させるものではなかった。
【特許文献１】実開平１−７８３５１号公報
【発明の開示】
【発明が解決しようとする課題】
【０００５】
本発明は、上記従来の実情に鑑みてなされたものであって、偏心ディスクが挿入されてもリード／ライト動作時（回転動作時）にディスクの面振れを防ぐことができて、安定させることができるディスク装置を提供することを目的としている。
【課題を解決するための手段】
【０００６】
本発明は、上記課題を解決するために提案されたものであって、請求項１に記載の発明は、クランパを有する上蓋側にディスクを保持し、この上蓋を回転させて前記ディスクを回転させるようにしたディスク装置であって、前記上蓋は駆動モータによって回転され、前記上蓋の下面側には前記ディスクの中心部分に接するクランパが設けられるとともに、前記上蓋の下面側に前記ディスクをチャッキングするチャッキング機構が設けられており、前記チャッキング機構は、前記クランパの外側に設けられ下向きにスプリングによって付勢され、ディスクトレイが上下動機構によって上向きに移動したときに前記ディスクの上面に当接する下向きの当接部材と、この当接部材が枢着され前記上蓋の下面に沿って配設されて長手方向中央部が前記上蓋に回動可能に枢着された横向き部材と、この横向き部材の外側端に下向きに取り付けられ下端に前記ディスクを掴む掴み部を有するチャッキング部材とから構成され、前記ディスクが上面にセットされた前記ディスクトレイが上下動機構によって上向きに移動された際に、前記チャッキング機構の当接部材が前記ディスクに当接され、更なる前記ディスクトレイの上向きの移動によって、前記当接部材が前記スプリングの付勢力に抗して上向きに移動され、前記横向き部材が回動されて前記チャッキング部材が下向き且つ内向きに移動されて前記ディスクがこのチャッキング部材でチャッキングされ、前記ディスクトレイが前記上下動機構で下向きに移動された後に、前記駆動モータの回転駆動で前記上蓋が回転されて前記ディスクが回転されるように構成したことを特徴としている。
【０００７】
請求項２に記載の発明は、クランパを有する上蓋側にディスクを保持し、この上蓋を回転させて前記ディスクを回転させるようにしたディスク装置であって、前記上蓋は駆動モータによって回転され、前記上蓋の下面側に前記ディスクの中心部分に接するクランパが設けられ、前記上蓋にはディスクトレイ上のディスクをチャッキングするチャッキング機構が設けられており、前記ディスクトレイが上下動機構で上向きに移動されて前記クランパに接したときに、前記ディスクトレイ上のディスクが前記チャッキング機構でチャッキングされるように構成され、前記ディスクが前記チャッキング機構でチャッキングされた後に前記デスクトレイが前記上下動機構で下向きに移動された後に、前記駆動モータが回転駆動されて前記上蓋が回転され、これとともに前記チャッキング機構でチャッキングされた前記ディスクが回転されるように構成したことを特徴としている。
【０００８】
請求項３に記載の発明は、前記ディスクトレイを上下動させる前記上下動機構は、前記デスクトレイに設けられた水平向きの板材に形成され、上側の水平溝とこの水平溝に連なる斜め下向き傾斜溝とこの下向き傾斜溝の下端から水平向きに連なる下側の水平溝とからなるガイド溝と、一端がこのガイド溝内を移動され、他端がシャーシに取り付けられた傾斜板とからなり、前記ディスクトレイが前記シャーシの奥側に移動されたときに、前記傾斜板の一端が前記ガイド溝の上側の水平溝から前記傾斜溝を経て前記下側の水平溝に移動されて前記ディスクトレイが上向きに移動されて前記ディスクが上側に移動されるように構成されている。
【発明の効果】
【０００９】
請求項１に記載の発明によれば、ディスクトレイが上向きに移動されたときに、チャッキング機構のチャッキング部材の掴み部でディスクが掴まれるので、偏心ディスクが挿入されてもリード／ライト動作時（回転動作時）にディスクの面振れを防ぐことができて、安定させることができる。
【００１０】
請求項２に記載の発明によれば、ディスクトレイが上向きに移動されたときに、チャッキング機構でディスクがチャッキングされるので、偏心ディスクが挿入されてもリード／ライト動作時（回転動作時）にディスクの面振れを防ぐことができて、安定させることができる。
【００１１】
請求項３に記載の発明によれば、上下動機構でディスクトレイを上向きに確実に移動することができ、この上下動機構を簡単化することができる。
【発明を実施するための最良の形態】
【００１２】
以下、本発明に係るディスク装置の実施の形態について、図を参照しつつ説明する。
【００１３】
図１は本発明の実施形態のディスク装置の要部を示し、ディスクをチャッキングする前の状態を示す正面図、図２は実施形態のディスク装置の要部を示し、ディスクをチャッキングするときの状態を示す正面図、図３は実施形態のディスク装置の要部を示し、ディスクをチャッキングしたときの状態を示す正面図である。
【００１４】
本実施形態のディスク装置は、図１、図２、図３に示すように、上蓋１が駆動モータ２によって回転され、上蓋１の下面側にはディスクＤの中心部分に接するクランパ３が設けられるとともに、上蓋１の下側にディスクＤをチャッキングするチャッキング機構４が設けられている。このチャッキング機構４は、クランパ３の外側に設けられ下向きにスプリングＳによって付勢され、ディスクトレイ５が上下動機構６（図４、図５参照）によって上向きに移動したときにディスクＤの上面に当接する下向きの当接部材７が枢着され上蓋１の下面に沿って配設されて長手方向中央部が上蓋１に回動可能に枢着された横向き部材８と、この横向き部材８の外側端に下向きに取り付けられ下端にディスクＤを掴む２つの爪部からなる掴み部９ａを有するチャッキング部材９から構成されている。
【００１５】
図１の状態からディスクＤが上面にセットされたディスクトレイ５が上下動機構６によって上向きに移動された際に、図２に示すように、チャッキング機構４の当接部材７がディスクＤに当接される。更なるディスクトレイ５の上向きの移動によって、当接部材７がスプリングＳの付勢力に抗して上向きに移動され、横向き部材８が回動されてチャッキング部材９が下向き且つ内向きに移動されて図３に示すようにディスクＤがこのチャッキング部材９でチャッキングされ、ディスクトレイ５が上下動機構６で下向きに移動された後に、駆動モータ２の回転駆動で上蓋１が回転されてディスクＤが回転されるようになっている。
【００１６】
図４は実施形態のディスク装置におけるディスクトレイが上側に移動する前の状態を示す正面図、図５は実施形態のディスク装置におけるディスクトレイが上側に移動したときの状態を示す正面図である。
【００１７】
ディスクトレイ５を上下動させる上下動機構６は、ディスクトレイ５に設けられた水平向きの板材１０に形成され、上側の水平溝１１ａとこの水平溝１１ａに連なる斜め下向き傾斜溝１１ｂとこの下向き傾斜溝１１ｂの下端から水平向きに連なる下側の水平溝１１ｃとからなるガイド溝１１と、一端がこのガイド溝１１内を移動され、他端がシャーシ１２に取り付けられた傾斜板１３とからなっている。
【００１８】
ディスクトレイ５がシャーシ１２の奥側に移動されたときに、傾斜板１３の一端がガイド溝１１の上側の水平溝１１ａから傾斜溝１１ｂを経て下側の水平溝１１ｃに移動されてディスクトレイ５が上向きに移動されてディスクＤが上側に移動されるようになっている。
尚、図示しないが、ディスクトレイ５の両側は、シャーシ１２の内面に設けられた傾斜部を有するガイドレールに沿って常に水平向き状態を保持した状態で移動されるように構成されている。
【００１９】
本実施形態のディスク装置によれば、ディスクトレイ５が上向きに移動されたときに、チャッキング機構４のチャッキング部材９の２つの爪部からなる掴み部９ａでディスクＤが掴まれるので、偏心したディスクＤが挿入されてもリード／ライト動作時（回転動作時）にディスクＤの面振れを防ぐことができて、安定させることができる。また、上下動機構６でディスクトレイ５を上向きに確実に移動することができ、この上下動機構６を簡単化することができる。
【図面の簡単な説明】
【００２０】
【図１】本発明の実施形態のディスク装置の要部を示し、ディスクをチャッキングする前の状態を示す正面図である。
【図２】実施形態のディスク装置の要部を示し、ディスクをチャッキングするときの状態を示す正面図である。
【図３】実施形態のディスク装置の要部を示し、ディスクをチャッキングしたときの状態を示す正面図である。
【図４】実施形態のディスク装置におけるディスクトレイが上側に移動する前の状態を示す正面図である。
【図５】実施形態のディスク装置におけるディスクトレイが上側に移動したときの状態を示す正面図である。
【図６】従来のターンテーブルの斜視図である。
【符号の説明】
【００２１】
Ｄ      ディスク
Ｓ      スプリング
１      上蓋
２      駆動モータ
３      クランパ
４      チャッキング機構
５      ディスクトレイ
６      上下動機構
７      当接部材
８      横向き部材
９      チャッキング部材
９ａ    掴み部
１０    水平向きの板材
１１    ガイド溝
１１ａ  上側の水平溝
１１ｂ  斜め下向き傾斜溝
１１ｃ  下側の水平溝
１２    シャーシ
１３    傾斜板
【図１】
2005346804.tif 000003
【図２】
2005346804.tif 000004
【図３】
2005346804.tif 000005
【図４】
2005346804.tif 000006
【図５】
2005346804.tif 000007
【図６】
2005346804.tif 000008